(57)【要約】【課題】２つの受水槽を有する受水槽設備において、いずれか一方の受水槽の水を抜いて他方の受水槽に移送するにあたり、２つの受水槽の間にポンプを設けなくてもよく、設備を簡素化でき、また、コストの削減を図ることができる建物の受水槽設備およびその水抜き方法を提供する。【解決手段】上水を貯留する２つの受水槽２ａ、２ｂそれぞれに接続された吸込管３ａ、３ｂに、これら受水槽から建物の適宜箇所に給水ポンプ４で上水を圧送する給水管５が接続された建物の受水槽設備１において、給水管の給水ポンプ下流側から分岐させて設けられ、各受水槽にそれぞれ接続された分岐枝管６ａ、６ｂに接続されて、給水ポンプで圧送される上水が流通される分岐本管７と、各分岐枝管にそれぞれ設けられ、一方の受水槽の水を抜くときに、当該一方の受水槽に接続された分岐枝管を閉じ、他方の受水槽に接続された分岐枝管を開放する２つの開閉弁８ａ、８ｂとを備えた。【選択図】図１
2008297818.tif 000002
【特許請求の範囲】
【請求項１】
上水を貯留する２つの受水槽それぞれに接続された吸込管に、これら受水槽から建物の適宜箇所に給水ポンプで上水を圧送する給水管が接続された建物の受水槽設備において、上記給水管の上記給水ポンプ下流側から分岐させて設けられ、上記各受水槽にそれぞれ接続された分岐枝管に接続されて、該給水ポンプで圧送される上水が流通される分岐本管と、該各分岐枝管にそれぞれ設けられ、一方の該受水槽の水を抜くときに、当該一方の受水槽に接続された該分岐枝管を閉じ、他方の該受水槽に接続された該分岐枝管を開放する２つの開閉弁とを備えたことを特徴とする建物の受水槽設備。
【請求項２】
請求項１記載の建物の受水槽設備を用い、前記給水ポンプにより、少なくとも一方の前記受水槽から前記給水管へ上水を圧送しつつ、一方の該受水槽の水を抜くときに、当該受水槽に接続された前記分岐枝管の前記開閉弁を閉じ、他方の該受水槽に接続された該分岐枝管の該開閉弁を開放することを特徴とする建物の受水槽設備の水抜き方法。
【発明の詳細な説明】
【技術分野】
【０００１】
本発明は、２つの受水槽を有する受水槽設備において、いずれか一方の受水槽の水を抜いて他方の受水槽に移送するにあたり、２つの受水槽の間にポンプを設けなくてもよく、設備を簡素化でき、また、設備コストの削減を図ることができる建物の受水槽設備およびその水抜き方法に関する。
【背景技術】
【０００２】
従来、対になっている水槽と、その一方の水槽の水を他方の水槽に移送する手段を持つ受水槽設備として例えば特許文献１が知られている。
【０００３】
特許文献１では、並設された２つの水槽にポンプを設けることによって、それぞれの水槽内の水を相手方の水槽に移送できるようになされている。
【特許文献１】特開平４−８５４２１号公報
【発明の開示】
【発明が解決しようとする課題】
【０００４】
上記従来技術にあっては、並設された２つのそれぞれの水槽の水を相手方の水槽に移送することができる。しかし、この場合は、これらの水槽から適宜箇所に給水するためのポンプの他に、並設する水槽間に、それぞれの水槽から相手方の水槽へ水を移送するためのポンプを別に設ける必要があるので、設備が複雑化し、また、高コストな設備にもなっていた。
【０００５】
本発明は上記従来の課題に鑑みて創案されたものであって、２つの受水槽を有する受水槽設備において、いずれか一方の受水槽の水を抜いて他方の受水槽に移送するにあたり、２つの受水槽の間にポンプを設けなくてもよく、設備を簡素化でき、また、設備コスト削減を図ることができる建物の受水槽設備およびその水抜き方法を提供することを目的とする。
【課題を解決するための手段】
【０００６】
本発明にかかる建物の受水槽設備は、上水を貯留する２つの受水槽それぞれに接続された吸込管に、これら受水槽から建物の適宜箇所に給水ポンプで上水を圧送する給水管が接続された建物の受水槽設備において、上記給水管の上記給水ポンプ下流側から分岐させて設けられ、上記各受水槽にそれぞれ接続された分岐枝管に接続されて、該給水ポンプで圧送される上水が流通される分岐本管と、該各分岐枝管にそれぞれ設けられ、一方の該受水槽の水を抜くときに、当該一方の受水槽に接続された該分岐枝管を閉じ、他方の該受水槽に接続された該分岐枝管を開放する２つの開閉弁とを備えたことを特徴とする。
【０００７】
また、本発明にかかる建物の受水槽設備の水抜き方法は、前記の建物の受水槽設備を用い、前記給水ポンプにより、少なくとも一方の前記受水槽から前記給水管へ上水を圧送しつつ、一方の該受水槽の水を抜くときに、当該受水槽に接続された前記分岐枝管の前記開閉弁を閉じ、他方の該受水槽に接続された該分岐枝管の該開閉弁を開放することを特徴とする。
【発明の効果】
【０００８】
本発明にかかる建物の受水槽設備およびその水抜き方法にあっては、２つの受水槽を有する受水槽設備において、いずれか一方の受水槽の水を抜いて他方の受水槽に移送するにあたり、２つの受水槽の間にポンプを設けなくてもよく、設備を簡素化でき、また、設備コストの削減を図ることができる。
【発明を実施するための最良の形態】
【０００９】
以下に、本発明にかかる建物の受水槽設備およびその水抜き方法の好適な一実施形態を、添付図面を参照して詳細に説明する。本実施形態にかかる建物の受水槽設備１は基本的には、図１に示すように、上水を貯留する２つの受水槽２ａ、２ｂそれぞれに接続された吸込管３ａ、３ｂに、これら受水槽２ａ、２ｂから建物の適宜箇所に給水ポンプ４で上水を圧送する給水管５が接続された建物の受水槽設備１において、給水管５の給水ポンプ４下流側から分岐させて設けられ、各受水槽２ａ、２ｂにそれぞれ接続された分岐枝管６ａ、６ｂに接続されて、給水ポンプ４で圧送される上水が流通される分岐本管７と、各分岐枝管６ａ、６ｂにそれぞれ設けられ、一方の受水槽２ａ、２ｂの水を抜くときに、当該一方の受水槽２ａ、２ｂに接続された分岐枝管６ａ、６ｂを閉じ、他方の受水槽２ｂ、２ａに接続された分岐枝管６ｂ、６ａを開放する２つの開閉弁８ａ、８ｂとを備える。
【００１０】
受水槽２ａ、２ｂは、基礎の上に組まれた架台３０の上に設置される。受水槽２ａ、２ｂは、単一の水槽２内部の左右方向中央に仕切り壁２０が設置され、これによって、第１受水槽２ａ及び第２受水槽２ｂの２つに区画される。第１受水槽２ａ及び第２受水槽２ｂには、上水を供給するための供給管９を分岐させて、第１供給管９ａと第２供給管９ｂが接続される。第１供給管９ａと第２供給管９ｂには、それぞれ開閉自在な供給弁９ｃ、９ｄが設けられる。これら受水槽２ａ、２ｂには、上水が貯留される。
【００１１】
第１受水槽２ａ及び第２受水槽２ｂには、それぞれに第１吸込管３ａ及び第２吸込管３ｂが接続される。各吸込管３ａ、３ｂには、これら受水槽２ａ、２ｂから建物の適宜箇所に給水ポンプ４で上水を圧送する給水管５が接続される。給水管５は、給水ポンプ４の上流側に配設される吸込側配管５ａと、下流側に配設される吐出側配管５ｂを備える。給水ポンプ４は、加圧給水式のものを用い、これと一体に設けられた圧力センサー（図示しない）が建物の各戸における上水の使用による吐出側配管５ｂの減圧を感知することによって、作動する。給水ポンプ４は、受水槽２ａ、２ｂの上水を各吸込管３ａ、３ｂから吸込側配管５ａを介して吸い上げ、吐出側配管５ｂに吐出する。吐出側配管５ｂには、ポンプ振動や地震時の振動を吸収するフレキシブルジョイント３１と、給水ポンプ４への逆流を防ぐ逆止弁３２と、下流側への上水の送出を制御する開閉バルブ３３とが下流に向かうに従って順に設けられる。
【００１２】
吐出側配管５ｂには、給水ポンプ４で圧送される上水が流通される分岐本管７が接続される。分岐本管７は、吐出側配管５ｂの開閉バルブ３３の下流側に給水管５から分岐させて接続され、分岐本管７には、これをさらに第１受水槽２ａへ分岐させた第１分岐枝管６ａ及び第２受水槽２ｂへ分岐させた第２分岐枝管６ｂが接続される。分岐本管７には、これを開閉する主制御弁１０が設けられ、主制御弁１０と分岐枝管６ａ、６ｂの間には、分岐本管７から分岐させて排水用配管１１ａが設けられ、排水用配管１１ａには、分岐本管７、分岐枝管６ａ、６ｂに溜まった水を抜いて、これらを空にするための水抜き弁１１が設けられる。
【００１３】
各分岐枝管６ａ、６ｂには、一方の受水槽２ａ、２ｂの水を抜くときに、一方の受水槽２ａ、２ｂに接続された分岐枝管６ａ、６ｂを閉じ、他方の受水槽２ｂ、２ａに接続された分岐枝管６ｂ、６ａを開放する２つの開閉弁８ａ、８ｂが設けられる。第１開閉弁８ａは、第１分岐枝管６ａに設けられ、第２開閉弁８ｂは、第２分岐枝管６ｂに設けられる。
【００１４】
第１受水槽２ａ、第２受水槽２ｂの下方には、各受水槽２ａ、２ｂから排水するための第１排水管３４ａ、第２排水管３４ｂが接続され、これら排水管３４ａ、３４ｂには、ドレンバルブ３５がそれぞれ設けられる。
【００１５】
また、図示はしないが、第１受水槽２ａ、第２受水槽２ｂの間にはこれらを連通させる連通管が設けられており、連通管でそれぞれの受水槽２ａ、２ｂを連通させることによって、これら受水槽２ａ、２ｂの水位は等しく保たれる。連通管には、通常時開放されている開閉バルブが設けられる。
【００１６】
各受水槽２ａ、２ｂには、それぞれに水位センサ１２として電極棒が設けられる。水位センサ１２は、満水となる満水警報水位を検出して警報を出すための満水警報水位センサ１２ａと、通常の水位を検出する通常水位センサ１２ｂと、上水の供給水位を検出する供給水位センサ１２ｃと、下限水位を検出して警報を出すための減水警報水位センサ１２ｄとから構成される。各受水槽２ａ、２ｂに設置された水位センサ１２は、給水ポンプ４を備える給水ポンプユニット（図示せず）の制御部１３に接続され、水位センサ１２の検出データが制御部１３に入力される。
【００１７】
制御部１３には、各供給管９ａ、９ｂに設けられた供給弁９ｃ、９ｄ、各吸込管３ａ、３ｂに設けられた各給水弁３ｃ、３ｄ、分岐本管７に設けられた主制御弁１０、各分岐枝管６ａ、６ｂに設けられた各開閉弁８ａ、８ｂ、並びに給水ポンプ４が接続されて、制御部１３の制御値がこれらに出力される。
【００１８】
次に本実施形態にかかる建物の受水槽設備の水抜き方法について以下に説明する。前記の建物の受水槽設備１を用い、給水ポンプ４により、少なくとも一方の受水槽２ａ、２ｂから給水管５へ上水を圧送しつつ、一方の受水槽２ａ、２ｂの水を抜くときに、当該受水槽２ａ、２ｂに接続された分岐枝管６ａ、６ｂの開閉弁８ａ、８ｂを閉じ、他方の受水槽２ｂ、２ａに接続された分岐枝管６ｂ、６ａの開閉弁８ｂ、８ａを開放する。
【００１９】
建物の受水槽設備１の通常時の使用に際しては、第１受水槽２ａ、第２受水槽２ｂに貯留された上水を、給水ポンプ４がそれぞれ第１吸込管３ａ、第２吸込管３ｂとそれらを合流させた吸込側配管５ａを介して吸い上げ、吐出配管５ｂ側から建物の各戸へ圧送する。このため通常時には、第１吸込管３ａ、第２吸込管３ｂに設けられた給水弁３ｃ、３ｄと開閉バルブ３３は、開放されている。また、分岐本管７に設けられた主制御弁１０は閉められており、上水は分岐本管７側へ流れ込まずに建物側へのみ圧送され、これによって、開閉弁８ａ、８ｂが開放されていても受水槽２ａ、２ｂへの上水の送出が阻止される。
【００２０】
受水槽２ａ、２ｂの水位が満水警報水位または下限水位になった場合には、満水警報水位センサ１２ａまたは減水警報水位センサ１２ｄから制御部１３に信号が送られ警報が鳴る。さらに、満水警報水位になると、オーバーフロー管（図示しない）より受水槽２ａ、２ｂの上水が排出される。
【００２１】
次に清掃時など、一時的にいずれか一方の受水槽２ａ、２ｂの水を抜く場合について説明する。例えば、第１受水槽２ａの清掃をする場合は、分岐本管７の主制御弁１０及び第２分岐枝管６ｂの第２開閉弁８ｂを開放して、第１分岐枝管６ａの第１開閉弁８ａを閉める。これにより、各受水槽２ａ、２ｂから第２受水槽２ｂへの上水の送出経路を開放する。また、第１受水槽２ａへの上水の供給を止めるため第１供給管９ａの供給弁９ｃを閉め、第２受水槽２ｂから第１受水槽２ａへの上水の流通を止めるため連通管に設けられた開閉バルブを閉める。これらの開閉操作により、各受水槽２ａ、２ｂから給水管５を介して建物の各戸に給水しつつ、第２受水槽２ｂへ上水を送出することで第１受水槽２ａの無駄な水を捨てることなく抜くことができる。
【００２２】
また、このときに第２受水槽２ｂの水位が満水警報水位に達すると、満水警報水位センサ１２ａがこれを感知して制御信号を制御部１３へ出力し、制御部１３からの信号により第２開閉弁８ｂまたは第２開閉弁８ｂ及び主制御弁１０がともに閉止される。このことによって、オーバーフロー管からの排水を最小限に抑えることができる。
【００２３】
第１受水槽２ａから緊急に水を抜く場合には、前記処置に加えて、第２受水槽２ｂからの給水を止めるため第２吸込管３ｂの第２給水弁３ｄを閉める。これにより、上記建物の各戸への給水及び第２受水槽２ｂへの上水の送出が第１受水槽２ａのみからになり、より早く第１受水槽２ａの水を抜くことできる。
【００２４】
また、第２受水槽２ｂを清掃する場合は、第１受水槽２ａの場合と同様の手順で第２受水槽２ｂの水を抜くための操作を行う。具体的には、主制御弁１０及び第１開閉弁８ａを開放して、第２開閉弁８ｂを閉めることで、各受水槽２ａ、２ｂから第１受水槽２ａへの上水の送出経路を開放する。また、第２受水槽２ｂの上水の供給を止めるため第２供給管９ｂの供給弁９ｄを閉め、第１受水槽２ａから第２受水槽２ｂへの上水の流通を止めるため連通管の開閉バルブを閉める。これにより、各受水槽２ａ、２ｂから給水管５を介して建物の各戸に給水しつつ、第１受水槽２ａへ上水を送出することで第２受水槽２ｂの水を抜くことができる。緊急を要する場合も前記と同様に、これら開閉操作に加えて第１給水弁３ｃを閉めることでより早く第２受水槽２ｂの水を抜くことができる。このときにも、第１受水槽２ａの水位が満水警報水位に達すると、満水警報水位センサ１２ａの制御値が制御部１３送られ、制御部１３からの信号により第２開閉弁８ｂまたは第２開閉弁８ｂ及び主制御弁１０がともに閉止され、オーバーフロー管からの排水を最小限に抑えることができる。
【００２５】
２つの受水槽間の上水の移送手段としてこれら受水槽間にポンプを設けた従来のタイプの建物の受水槽設備に比べて、本実施形態は、建物の各戸への給水のための給水ポンプ４を利用するので、さらにもう一つポンプを増設する必要がなく、分岐枝管６ａ、６ｂに設けられた各開閉弁８ａ、８ｂの開閉操作だけで、少なくとも一方の受水槽２ａ、２ｂの上水を他方の受水槽２ｂ、２ａに送出しながら一方の受水槽２ａ、２ｂの水を短時間で簡単に抜くことができ、設置の手間がかからず、また、設備の低コスト化の実現が可能となる。
【００２６】
また、２つの受水槽間の上水の移送手段を持たない建物の受水槽設備では、清掃の際に、清掃対象の受水槽への供給弁を閉めることで上水の供給を停止させ、建物の各戸への給水によって清掃対象の受水槽の上水が自然に減るのを待つか、または、排水管に設けられたドレンバルブを開けて排水するという方法で清掃対象の受水槽の水を抜く。これに比べて、分岐本管７、分岐枝管６ａ、６ｂ、開閉弁８ａ、８ｂ等を設けた本実施形態は、開閉弁８ａ、８ｂの開閉操作だけで、簡単かつ短時間に清掃対象の受水槽２ａ、２ｂの水を抜くことができるとともに、受水槽２ａ、２ｂの上水を無駄にすることもない。
【００２７】
受水槽２ａ、２ｂが設置された後の竣工検査においては、水槽２の仕切り壁２０及び受水槽２ａ、２ｂ全体に水漏れなどの不具合がないかをチェックする必要がある。このとき例えば、まず第１受水槽２ａ側からの水圧による仕切り壁２０の漏れの検査をするために、第１受水槽２ａにのみに上水を貯留する。これは第１給水弁３ｃ及び連通管の開閉バルブの閉止と、第１供給管９ａの供給弁９ｃを開放操作によって行う。
【００２８】
次に、第２受水槽２ｂ側からの水圧による仕切り壁２０の漏れの検査をするために、第２受水槽２ｂのみに上水を貯留する。これは、第２給水弁３ｄの閉止操作と、第１給水弁３ｃ、主制御弁１０、第２開閉弁８ｂの開放操作によって、第１受水槽２ａの上水を第２受水槽２ｂへ移送しつつ、第２供給管９ｂの供給弁９ｄを開いて上水も供給する。このことにより、供給管９側からだけで上水を供給するときよりも第２受水槽２ｂへの貯水時間が短縮されるとともに、第２受水槽２ｂの貯水に第１受水槽２ａの上水を利用できる。そして最後に、水槽２全体の水漏れ検査をするため第１供給管９ａの供給弁９ｃを開放して上水を第１受水槽２ａに供給する。
【００２９】
本実施形態では、１つの水槽２の左右方向中央に仕切り壁２０が設置され、これによって、第１受水槽２ａ及び第２受水槽２ｂの２つに区分けされるものを２つの受水槽２ａ、２ｂとしたが、仕切り壁２０の方向及び位置はどのようにしてもよい。さらに、２つの受水槽２ａ、２ｂの大きさは同一でなくてもよい。また、１つの水槽２に仕切り壁２０を設けたものではなく、それぞれに独立した受水槽２ａ、２ｂを並設させてもよい。
【００３０】
本実施形態では、第１吸込管３ａ及び第２吸込管３ｂに設けられた各給水弁３ｃ、３ｄは、通常使用時は開放されているが、どちらか一方の給水弁３ｃ、３ｄを閉じて使用してもよい。この場合は、第１受水槽２ａ、第２受水槽２ｂを連通させる連通管は設けないか連通管の開閉バルブを閉じるようにしており、２つの受水槽２ａ、２ｂを独立して使用する。例えば、第１受水槽２ａの上水のみを使用し、これが供給水位に達すると、第２受水槽２ｂからのみの給水が開始され、そしてその間に、供給管９及び第１供給管９ａを介して第１受水槽２ａに上水が貯留される。このような場合も、一方の受水槽２ａ、２ｂの水を抜くときの手順は、上記と同様である。
【００３１】
本実施形態では、加圧ポンプを用いて建物の各戸に直接給水をする加圧給水方式を採用しているが、揚水ポンプ等を用いて給水を一旦建物の高架水槽等に貯留し、これより各戸に給水をする高架水槽方式にしてもよい。
【００３２】
本実施形態では、清掃時など各受水槽２ａ、２ｂの水抜き作業をする場合については、水位が満水警報水位に達したときのみを自動制御とし、そのほかの開閉操作を手動としているが、制御部１３により自動制御としてもよい。勿論、このときの開閉操作を制御部１３を用いずにすべて手動で行ってもよく、手動で行えば、さらに低コストかつ簡易に一方の受水槽２ａ、２ｂの水を抜くことができる。
【図面の簡単な説明】
【００３３】
【図１】本発明にかかる建物の受水槽設備の好適な一実施形態を示す系統図である。
【符号の説明】
【００３４】
１    建物の受水槽設備
２ａ  第１受水槽
２ｂ  第２受水槽
３ａ  第１吸込管
３ｂ  第２吸込管
４    給水ポンプ
５    給水管
６ａ  第１分岐枝管
６ｂ  第２分岐枝管
７    分岐本管
８ａ  第１開閉弁
８ｂ  第２開閉弁
【図１】
2008297818.tif 000003